(57)【特許請求の範囲】
【請求項１】
遊技に関する情報を表示する遊技情報表示装置であって、
遊技客が保有する第１の貸出レートの遊技媒体数を取得する取得手段と、
前記取得手段によって取得された第１の貸出レートの遊技媒体数を前記第１の貸出レートと異なる第２の貸出レートへ振り替えた場合の遊技媒体数を算出する算出手段と、
前記取得手段によって前記第１の貸出レートの遊技媒体数が取得された場合に、当該遊技媒体数とともに前記算出手段によって算出された第２の貸出レートの遊技媒体数を所定のディスプレイに対して表示させる表示処理手段と
を備えたことを特徴とする遊技情報表示装置。 
【請求項２】
前記算出手段は、
前記取得手段によって取得された前記第１の貸出レートの遊技媒体数を前記第２の貸出レートの遊技媒体数へ換算するとともに、換算後の遊技媒体数から再プレイ手数料あるいは換算手数料に相当する遊技媒体数を差し引くことを特徴とする請求項１に記載の遊技情報表示装置。 
【請求項３】
各種操作を受け付ける操作受付手段と、
前記取得手段によって取得された前記第１の貸出レートの遊技媒体数を前記第２の貸出レートへ振り替えるべき旨の操作を前記操作受付手段が受け付けた場合に、前記遊技客によって預け入れられた前記第１の貸出レートの遊技媒体数を前記貸出レートごとに遊技媒体数を管理する管理装置に対し、前記算出手段によって算出された前記第２の貸出レートの遊技媒体数を加算するように指示する指示手段をさらに備えたことを特徴とする請求項１または２に記載の遊技情報表示装置。 
【請求項４】
前記指示手段は、
前記算出手段によって算出された前記第１の貸出レートの遊技媒体数に対して所定の遊技媒体数を上乗せしたうえで、上乗せ後の遊技媒体数を前記第２の貸出レートの遊技媒体数へ加算するように前記管理装置に対して指示することを特徴とする請求項３に記載の遊技情報表示装置。 
【請求項５】
前記表示処理手段は、
前記取得手段によって取得された前記第１の貸出レートの遊技媒体数の目安となる所定の画像および前記算出手段によって算出された前記第２の貸出レートの遊技媒体数の目安となる所定の画像を前記所定のディスプレイに対してさらに表示させることを特徴とする請求項１〜４の何れか一つに記載の遊技情報表示装置。 
【請求項６】
遊技客によって獲得された遊技媒体を計数する遊技媒体計数機であって、
第１の貸出レートの遊技媒体数を計数する計数手段と、
前記計数手段によって計数された第１の貸出レートの遊技媒体数を前記第１の貸出レートと異なる第２の貸出レートへ振り替えた場合の遊技媒体数を算出する算出手段と、
前記取得手段によって前記第１の貸出レートの遊技媒体数が取得された場合に、当該遊技媒体数とともに前記算出手段によって算出された前記第２の貸出レートの遊技媒体数を所定のディスプレイに対して表示させる表示処理手段と
を備えたことを特徴とする遊技媒体計数機。 
【請求項７】
遊技に関する情報を表示する遊技情報表示システムであって、
遊技客が保有する第１の貸出レートの遊技媒体数を取得する取得手段と、
前記取得手段によって取得された第１の貸出レートの遊技媒体数を前記第１の貸出レートと異なる第２の貸出レートへ振り替えた場合の遊技媒体数を算出する算出手段と、
前記取得手段によって前記第１の貸出レートの遊技媒体数が取得された場合に、当該遊技媒体数とともに前記算出手段によって算出された前記第２の貸出レートの遊技媒体数を所定のディスプレイに対して表示させる表示処理手段と
を備えたことを特徴とする遊技情報表示システム。
【請求項８】
遊技客によって獲得された遊技媒体を計数する遊技媒体計数システムであって、
第１の貸出レートの遊技媒体数を計数する計数手段と、
前記計数手段によって計数された第１の貸出レートの遊技媒体数を前記第１の貸出レートと異なる第２の貸出レートへ振り替えた場合の遊技媒体数を算出する算出手段と、
前記取得手段によって前記第１の貸出レートの遊技媒体数が取得された場合に、当該遊技媒体数とともに前記算出手段によって算出された前記第２の貸出レートの遊技媒体数を所定のディスプレイに対して表示させる表示処理手段と
を備えたことを特徴とする遊技媒体計数システム。
【発明の詳細な説明】
【技術分野】
【０００１】
この発明は、遊技に関する情報を表示する遊技情報表示装置および遊技情報表示システム、遊技客が獲得した遊技媒体を計数する遊技媒体計数機および遊技媒体計数システムに関し、特に、遊技客が保有する貯玉や持玉などの遊技媒体を他の貸出レートへ振り替える場合の利便性を向上させることができる遊技情報表示装置、遊技媒体計数機、遊技情報表示システムおよび遊技媒体計数システムに関する。
【背景技術】
【０００２】
従来、パチンコ店等の遊技店では、会員登録を行った遊技客に対して貯玉サービスを提供している。この貯玉サービスは、遊技客が獲得した遊技媒体を貯玉として遊技店が預かり、遊技客がこの貯玉を用いて再プレイできるようにしたものである（たとえば、特許文献１参照）。
【０００３】
かかる貯玉サービスを提供する遊技店では、各遊技客の貯玉を管理装置で管理するとともに、かかる貯玉を島端等に設置された再プレイ機で引き出す貯玉システムが導入されることが多い。
【０００４】
一方、近年では、複数の貸出レートの遊技コーナーが開設されるのに伴って貯玉についても各貸出コーナーで行わせる仕組みが導入されつつある。かかる場合、遊技店では、低レートコーナーで遊技する遊技客を高レートコーナーへ誘導する観点から、再プレイが行われる遊技コーナーとは異なる貸出レートの貯玉を遊技コーナーの貸出レートへ振り替えるサービスを行う場合がある。このように、ある貸出レートに対応する遊技媒体を他の貸出レートへ振り替えることを「乗り入れ」と呼ぶ場合もある。
【０００５】
ここで、貯玉の乗り入れを行う場合には、再プレイ機が利用されるのが一般的である。たとえば、１円レートの貯玉を１０００玉、４円レートの貯玉を５００玉保有する遊技客が、４円レートコーナーに設置された再プレイ機に対して会員カードを挿入すると、かかる再プレイ機には、まず、貸出レートごとの貯玉数が表示される。ここでは、１円レートの貯玉数「１０００玉」および４円レートの貯玉数「５００玉」が表示される。
【０００６】
つづいて、遊技客によって「乗り入れボタン」が押下されると、再プレイ機は、１円レートの貯玉数「１０００玉」を４円レートへ振り替えるように管理装置へ指示する。そして、管理装置による貯玉の乗り入れ処理が完了すると、再プレイ機は、乗り入れ後の貯玉数をディスプレイに対して表示させる。ここでは、１円レートの貯玉数「１０００玉」が４円レートへ換算されて「２５０玉」となり、かかる「２５０玉」を４円レートの貯玉数「５００玉」へ加算した「７５０玉」が乗り入れ後の貯玉数として表示されることとなる。
【先行技術文献】
【特許文献】
【０００７】
【特許文献１】特開２００３−２１０８１８号公報
【発明の概要】
【発明が解決しようとする課題】
【０００８】
しかしながら、従来の貯玉サービスには、乗り入れを行う前に乗り入れ後の貯玉数を把握することが困難であるという問題があった。これは、従来の貯玉サービスでは、実際に乗り入れを行うまで乗り入れ後の貯玉数が表示されることがなかったためである。
【０００９】
たとえば、遊技客は、１円レートで獲得した遊技媒体数（持玉数）が４円レートへの乗り入れによってどのくらいの数量になるかを把握したい場合であっても、実際に再プレイ機まで赴いて乗り入れを行わなければ乗り入れ後の数量を把握することができなかった。
【００１０】
なお、従来の貯玉サービスには、持玉で乗り入れを行う場合には、まず、島端計数機へ赴いて持玉を一旦貯玉したうえで、再プレイ機へ赴いて乗り入れ操作を行わなければならないという問題もある。
【００１１】
また、乗り入れ後の遊技媒体数を暗算で求めることとしてもよいが、再プレイ手数料を徴収する運用がなされている場合には、単にレート換算するだけでなく、再プレイ手数料を差し引く計算もしなければならず、遊技客に大きな負担をかけることとなるため、好ましくない。
【００１２】
さらに、従来の貯玉サービスでは、乗り入れ後の貯玉数を確認したうえで乗り入れを実行するといったことができないため、乗り入れが正常に行われたのだろうかという疑念を遊技客に対して抱かせるおそれもある。そして、このような疑念を抱いた遊技客が従業員に対して説明を求めた場合、従業員は、電卓等を使って実際に計算を行い、乗り入れが正常に行われたことを遊技客に対して証明しなければならず、業務に支障を来すおそれがある。
【００１３】
このように、貯玉や持玉の乗り入れを行う場合の利便性が悪いと、乗り入れサービスが普及せず、低レートコーナーで遊技する遊技客を高レートコーナーへ誘導するという遊技店側の目的を達成することができない。このため、乗り入れを行う場合の利便性をいかにして向上させるかが大きな課題になっている。
【００１４】
本発明は、上述した従来技術による問題点を解消するためになされたものであって、遊技客が保有する貯玉や持玉などの遊技媒体を他の貸出レートへ振り替える場合の利便性を向上させることができる遊技情報表示装置、遊技媒体計数機、遊技情報表示システムおよび遊技媒体計数システムを提供することを目的とする。
【課題を解決するための手段】
【００１５】
上述した課題を解決し、目的を達成するため、本発明は、遊技に関する情報を表示する遊技情報表示装置であって、遊技客が保有する第１の貸出レートの遊技媒体数を取得する取得手段と、前記取得手段によって取得された第１の貸出レートの遊技媒体数を前記第１の貸出レートと異なる第２の貸出レートへ振り替えた場合の遊技媒体数を算出する算出手段と、前記取得手段によって前記第１の貸出レートの遊技媒体数が取得された場合に、当該遊技媒体数とともに前記算出手段によって算出された第２の貸出レートの遊技媒体数を所定のディスプレイに対して表示させる表示処理手段とを備えたことを特徴とする。 
【００１６】
また、本発明は、上記の発明において、前記算出手段は、前記取得手段によって取得された前記第１の貸出レートの遊技媒体数を前記第２の貸出レートの遊技媒体数へ換算するとともに、換算後の遊技媒体数から再プレイ手数料あるいは換算手数料に相当する遊技媒体数を差し引くことを特徴とする。 
【００１７】
また、本発明は、上記の発明において、各種操作を受け付ける操作受付手段と、前記取得手段によって取得された前記第１の貸出レートの遊技媒体数を前記第２の貸出レートへ振り替えるべき旨の操作を前記操作受付手段が受け付けた場合に、前記遊技客によって預け入れられた前記第１の貸出レートの遊技媒体数を前記貸出レートごとに遊技媒体数を管理する管理装置に対し、前記算出手段によって算出された前記第２の貸出レートの遊技媒体数を加算するように指示する指示手段をさらに備えたことを特徴とする。 
【００１８】
また、本発明は、上記の発明において、前記指示手段は、前記算出手段によって算出された前記第１の貸出レートの遊技媒体数に対して所定の遊技媒体数を上乗せしたうえで、上乗せ後の遊技媒体数を前記第２の貸出レートの遊技媒体数へ加算するように前記管理装置に対して指示することを特徴とする。 
【００１９】
また、本発明は、上記の発明において、前記表示処理手段は、前記取得手段によって取得された前記第１の貸出レートの遊技媒体数の目安となる所定の画像および前記算出手段によって算出された前記第２の貸出レートの遊技媒体数の目安となる所定の画像を前記所定のディスプレイに対してさらに表示させることを特徴とする。 
【００２０】
また、本発明は、遊技客によって獲得された遊技媒体を計数する遊技媒体計数機であって、第１の貸出レートの遊技媒体数を計数する計数手段と、前記計数手段によって計数された第１の貸出レートの遊技媒体数を前記第１の貸出レートと異なる第２の貸出レートへ振り替えた場合の遊技媒体数を算出する算出手段と、前記取得手段によって前記第１の貸出レートの遊技媒体数が取得された場合に、当該遊技媒体数とともに前記算出手段によって算出された前記第２の貸出レートの遊技媒体数を所定のディスプレイに対して表示させる表示処理手段とを備えたことを特徴とする。 
【００２１】
また、本発明は、遊技に関する情報を表示する遊技情報表示システムであって、遊技客が保有する第１の貸出レートの遊技媒体数を取得する取得手段と、前記取得手段によって取得された第１の貸出レートの遊技媒体数を前記第１の貸出レートと異なる第２の貸出レートへ振り替えた場合の遊技媒体数を算出する算出手段と、前記取得手段によって前記第１の貸出レートの遊技媒体数が取得された場合に、当該遊技媒体数とともに前記算出手段によって算出された前記第２の貸出レートの遊技媒体数を所定のディスプレイに対して表示させる表示処理手段とを備えたことを特徴とする。 
【００２２】
また、本発明は、遊技客によって獲得された遊技媒体を計数する遊技媒体計数システムであって、第１の貸出レートの遊技媒体数を計数する計数手段と、前記計数手段によって計数された第１の貸出レートの遊技媒体数を前記第１の貸出レートと異なる第２の貸出レートへ振り替えた場合の遊技媒体数を算出する算出手段と、前記取得手段によって前記第１の貸出レートの遊技媒体数が取得された場合に、当該遊技媒体数とともに前記算出手段によって算出された前記第２の貸出レートの遊技媒体数を所定のディスプレイに対して表示させる表示処理手段とを備えたことを特徴とする。 
【発明の効果】
【００２３】
本発明によれば、取得手段が、遊技客が保有する第１の貸出レートの遊技媒体数を取得し、算出手段が、取得手段によって取得された第１の貸出レートの遊技媒体数を第１の貸出レートと異なる第２の貸出レートへ振り替えた場合の遊技媒体数を算出し、表示処理手段が、取得手段によって第１の貸出レートの遊技媒体数が取得された場合に、当該遊技媒体数とともに算出手段によって算出された第２の貸出レートの遊技媒体数を所定のディスプレイに対して表示させることとしたため、遊技客が保有する貯玉や持玉などの遊技媒体を他の貸出レートへ振り替える場合の利便性を向上させることができるという効果を奏する。たとえば、遊技客は、他の貸出レートへ振り替えた場合の遊技媒体数を、実際に振り替えを行う前に把握することができるため、振り替えを行うか否かの判断を容易に行うことができる。 
【００２４】
また、本発明によれば、算出手段が、取得手段によって取得された第１の貸出レートの遊技媒体数を第２の貸出レートの遊技媒体数へ換算するとともに、換算後の遊技媒体数から再プレイ手数料あるいは換算手数料に相当する遊技媒体数を差し引くこととしたため、再プレイ手数料を徴収する運用が行われる場合であっても、振り替え後の遊技媒体数を正確に把握することができるという効果を奏する。 
【００２５】
また、本発明によれば、操作受付手段が、各種操作を受け付け、指示手段が、取得手段によって取得された第１の貸出レートの遊技媒体数を第２の貸出レートへ振り替えるべき旨の操作を操作受付手段が受け付けた場合に、遊技客によって預け入れられた第１の貸出レートの遊技媒体数を貸出レートごとに遊技媒体数を管理する管理装置に対し、算出手段によって算出された遊技媒体数を第２の貸出レートの遊技媒体数へ加算するように指示することとしたため、振り替え後の遊技媒体数を確認したその場で即座に振り替えを行うことができる。したがって、遊技客が保有する貯玉や持玉などの遊技媒体を他の貸出レートへ振り替える場合の利便性をさらに向上させることができるという効果を奏する。 
【００２６】
また、本発明によれば、指示手段が、算出手段によって算出された第１の貸出レートの遊技媒体数に対して所定の遊技媒体数を上乗せしたうえで、上乗せ後の遊技媒体数を第２の貸出レートの遊技媒体数へ加算するように管理装置に対して指示することとしたため、他の貸出レートへの振り替えが促進され、これに伴って遊技客が再プレイを行う機会が増加する結果、遊技台の稼働率を高めることができるという効果を奏する。 
【００２７】
また、本発明によれば、表示処理手段が、取得手段によって取得された第１の貸出レートの遊技媒体数の目安となる所定の画像および算出手段によって算出された第２の貸出レートの遊技媒体数の目安となる所定の画像を所定のディスプレイに対してさらに表示させることとしたため、振り替え前の遊技媒体数が振り替えによってどのくらいの数量となるかを遊技客に対してより直感的に把握させることができるという効果を奏する。
【図面の簡単な説明】
【００２８】
【図１】図１は、本発明に係る遊技情報表示手法の概要を示す図である。
【図２】図２は、本実施例に係る島端計数機が接続されるネットワーク環境を示す図である。
【図３】図３は、本実施例に係る島端計数機の構成を示すブロック図である。
【図４】図４は、島端計数機の動作例を示す図である。
【図５】図５は、島端計数機の他の動作例を示す図である。
【図６】図６は、本実施例に係る島端計数機が実行する処理手順を示すフローチャートである。
【図７】図７は、本発明に係る遊技情報表示手法を各台対応装置に対して適用した場合の適用例を示す図である。
【図８】図８は、本発明に係る遊技情報表示手法の運用例を示す図である。
【発明を実施するための形態】
【００２９】
以下に添付図面を参照して、本発明に係る遊技情報表示装置、遊技媒体計数機、遊技情報表示システムおよび遊技媒体計数システムの実施例を詳細に説明する。まず、実施例の詳細な説明に先立って、本発明に係る遊技情報表示手法の概要について図１を用いて説明する。図１は、本発明に係る遊技情報表示手法の概要を示す図である。なお、以下では、ある貸出レートに対応する遊技媒体（貯玉および持玉を含む）を他の貸出レートへ振り替えることを「乗り入れ」と呼ぶこととする。
【００３０】
本発明に係る遊技情報表示手法は、たとえば、遊技客が獲得した遊技媒体を計数する遊技媒体計数機に対して適用されるものであって、乗り入れ前の遊技媒体数（計数値）および乗り入れを行った場合の遊技媒体数（乗り入れ値）をリアルタイムに表示する点に主たる特徴を有する。なお、本発明に係る「遊技媒体計数機」には、遊技島の島端に設置される島端計数機だけでなく、計数機能付きの各台対応装置も含まれるものとする。
【００３１】
また、本発明に係る遊技情報表示手法は、遊技客によって遊技店へ預け入れられた貯玉を引き出す再プレイ機に対しても適用可能であり、実際に乗り入れを行う前に、乗り入れ前の貯玉数とともに乗り入れを行った場合の貯玉数を表示する。
【００３２】
本発明に係る遊技情報表示手法では、まず、遊技客が保有する遊技媒体数を取得する（同図の（Ａ−１）参照）。ここで、遊技客が保有する遊技媒体数とは、遊技客が獲得した遊技媒体である持玉の数量あるいは遊技客が遊技店へ預け入れた遊技媒体である貯玉の数量を示す。
【００３３】
たとえば、本発明に係る遊技情報表示手法を遊技媒体計数機に対して適用した場合には、計数機能を用いて持玉を計数することで、遊技客が保有する持玉数を取得する。また、本発明に係る遊技情報表示手法を再プレイ機に対して適用した場合には、各遊技客の貯玉数を貸出レートごとに管理する管理装置から該当する遊技客の貯玉数を取得する。
【００３４】
つづいて、本発明に係る遊技情報表示手法では、取得した遊技媒体数で他の貸出レートへの乗り入れを行った場合の遊技媒体数を算出する（同図の（Ａ−２）参照）。たとえば、１円レートで獲得した遊技媒体数が「５２３６玉」である場合には、かかる「５２３６玉」を４円レートへ換算した「１３０９玉（５２３６玉×（１円／４円））」を、４円レートへの乗り入れを行った場合の遊技媒体数として算出する。なお、再プレイ時に再プレイ手数料が徴収される場合には、上記のレート換算だけでなく、再プレイ手数料の減算も併せて行うこととしてもよい。
【００３５】
つづいて、本発明に係る遊技情報表示手法では、同図の（Ａ−１）において取得した遊技媒体数とともに、同図の（Ａ−２）において算出した乗り入れ後の遊技媒体数をディスプレイへ表示させる（同図の（Ａ−３）参照）。ここでは、遊技客が保有する１円レートの遊技媒体数「５２３６玉」とともに、かかる遊技媒体数で４円レートへの乗り入れを行った場合の遊技媒体数「１３０９玉」がディスプレイへ表示されることとなる。
【００３６】
このように、本発明に係る遊技情報表示手法では、遊技客が保有する遊技媒体数を取得し、取得した遊技媒体数を他の貸出レートへ振り替えた場合の遊技媒体数を算出する。そして、本発明に係る遊技情報表示手法では、遊技客が保有する遊技媒体数とともに、かかる遊技媒体数を他の貸出レートへ振り替えた場合の遊技媒体数をディスプレイに対して表示させることとした。
【００３７】
これにより、遊技客は、実際に乗り入れを行う前に乗り入れ後の遊技媒体数を把握することができるため、振り替えを行うか否かの判断を容易に行うことができる。また、乗り入れ後の遊技媒体数を確認したうえで乗り入れを行うこととなるため、乗り入れが正常に行われたのかという疑念を遊技客に対して抱かせるおそれもなく、従業員が、乗り入れが正常に行われたことを説明するために業務を中断する必要もない。
【００３８】
このように、本発明に係る遊技情報表示手法によれば、遊技客が保有する貯玉や持玉などの遊技媒体を他の貸出レートへ振り替える場合の利便性を向上させることができる。
【００３９】
なお、本発明に係る遊技情報表示手法を遊技媒体計数機に対して適用した場合、同図の（Ａ−１）〜（Ａ−３）の処理は、計数中においても行われる。すなわち、本発明に係る遊技情報表示手法を適用した遊技媒体計数機では、現時点で計数済みの遊技媒体数とともに、この遊技媒体数に対応する乗り入れ後の遊技媒体数がリアルタイムに表示されることとなる。
【００４０】
ところで、本発明に係る遊技情報表示手法では、乗り入れを行った場合の遊技媒体数を確認したその場で実際に乗り入れを行うこともできる。具体的には、同図の（Ｂ）に示したように、本発明に係る遊技情報表示手法では、遊技客から「乗入ボタン」の押下などの乗り入れ操作を受け付けると（同図の（Ｂ−１）参照）、乗り入れ後の遊技媒体数を該当する貸出レートの貯玉数へ加算するように管理装置に対して指示する（同図の（Ｂ−２）参照）。ここでは、４円レートの貯玉数に「１３０９玉」が加算されることとなる。
【００４１】
このように、乗り入れを行った場合の遊技媒体数を確認したその場で即座に乗り入れを行うことができるため、乗り入れの利便性をさらに向上させることができる。なお、乗り入れを行う遊技客を増やして遊技台の稼働率を高めたいという遊技店側のニーズに応えるために、その場で乗り入れを行った場合には再プレイ手数料を軽減することとしてもよい。かかる点については、実施例において後述することとする。
【００４２】
なお、遊技客の中には、乗り入れによる遊技媒体数の変動等を計数値や乗り入れ値といった数字で理解するのが苦手な遊技客もいる。そこで、本発明による遊技情報表示手法では、計数値や乗り入れ値等の数値の目安となる所定の画像（たとえば、玉箱の画像）を計数値や乗り入れ値と併せて表示することとしてもよい。かかる点についても、実施例において後述することとする。
【００４３】
以下では、図１を用いて説明した遊技情報表示手法を島端計数機に対して適用した場合の実施例を詳細に説明する。ただし、本発明に係る遊技情報表示手法は、島端計数機に限らず、計数機能を備えた各台対応装置（各台計数機）や再プレイ機に対して適用することも可能である。また、以下では、１円レートおよび４円レートの２種類の貸出レートが存在する場合について説明するが、貸出レートは３種類以上であってもよい。
【実施例】
【００４４】
図２は、本実施例に係る島端計数機が接続されるネットワーク環境を示す図である。同図に示すように、本実例に係る島端計数機１００は、店舗内ＬＡＮ（Local  Area  Network）などのネットワーク経由で、島端再プレイ機２００、各台対応装置３００、遊技台４００、島コントローラ５００、管理装置６００といった各機器と接続される。
【００４５】
また、遊技店には、所属レートが１円のコーナーである「１円コーナー」と４円のコーナーである「４円コーナー」とが設けられており、島端計数機１００、島端再プレイ機２００、各台対応装置３００、遊技台４００および島コントローラ５００が各コーナーに設置されている。
【００４６】
島端計数機１００は、遊技客が遊技台４００で獲得した遊技媒体を計数する装置である。なお、遊技客は、１円コーナーで獲得した遊技媒体については１円コーナーに設置された島端計数機１００を用いて計数し、４円コーナーで獲得した遊技媒体については４円コーナーに設置された島端計数機１００を用いて計数するものとする。
【００４７】
島端再プレイ機２００は、遊技店の会員である遊技客が遊技店へ預け入れた貯玉を引き出すための装置である。なお、島端再プレイ機２００は、貯玉の引き出しを行う際に、遊技客に対して自分の貯玉状況を知らせるために、かかる遊技客の貯玉情報を管理装置６００から取得してディスプレイへ表示させる処理を行う。
【００４８】
各台対応装置３００は、遊技台４００と対応して設けられる装置であり、挿入された記録媒体（以下、「カード」と記載する）に関連付けられたプリペイド価値を用いて遊技媒体の貸し出しを行う。なお、各台対応装置３００は、島端計数機１００と同様の計数機能を兼ね備えていてもよい。さらに、貯玉再プレイ機能を備えていてもよい。
【００４９】
島コントローラ５００は、台間装置３００および遊技台４００が設置される遊技島ごとに設けられる中継装置であり、管理装置６００／台間装置３００間、あるいは、管理装置６００／遊技台４００間の通信データを中継する。
【００５０】
管理装置６００は、島端計数機１００、島端再プレイ機２００、各台対応装置３００、遊技台４００および島コントローラ５００等を管理する管理装置であり、貯玉ＤＢ（データベース）６１０および持玉ＤＢ（データベース）６２０を有している。
【００５１】
貯玉ＤＢ６１０は、遊技店の会員に対して配布される会員カードに付与された貯玉サービスを行うためのデータベースである。具体的には、貯玉ＤＢ６１０は、会員ごとに割り当てられた会員ＩＤと関連付けて、貸出レートごとの貯玉数を記憶している。また、持玉ＤＢ６２０は、遊技客が獲得した持玉価値を管理するデータベースである。
【００５２】
次に、本実施例に係る島端計数機１００の構成について図３を用いて説明する。図３は、島端計数機１００の構成を示すブロック図である。なお、同図には、島端計数機１００の特徴を説明するために必要な構成要素のみを示しており、一般的な構成要素についての記載を省略している。
【００５３】
同図に示すように、島端計数機１００は、計数部１１と、タッチパネル１２と、リーダライタ部１３と、制御部１４とを備えている。また、制御部１４は、レート換算部１４ａと、表示処理部１４ｂと、乗り入れ指示部１４ｃとを備えている。
【００５４】
計数部１１は、遊技客が獲得した遊技媒体を計数し、計数した計数値をレート換算部１４ａおよび表示処理部１４ｂへ通知する処理部である。なお、かかる計数値は、カウントアップされるたびにレート換算部１４ａおよび表示処理部１４ｂへ通知されるものとする。
【００５５】
タッチパネル１２は、島端計数機１００に対する操作を受け付けるボタンなどの入力デバイスと、各種情報を表示するためのディスプレイなどの表示デバイスとから構成される。たとえば、タッチパネル１２は、遊技客によって「乗入ボタン」が押下された場合には、乗入ボタンが押下された旨を示す信号を乗り入れ指示部１４ｃに対して通知する。なお、かかる信号には、乗り入れ先の貸出レートおよび乗り入れ後の遊技媒体数が含まれるものとする。
【００５６】
リーダライタ部１３は、遊技店の会員が所持する会員カードから会員ＩＤを読み取る情報読取装置である。また、リーダライタ部１３は、会員カードから読み取った会員ＩＤを乗り入れ指示部１４ｃへ渡す処理も併せて行う。なお、会員ＩＤは、遊技店の各会員を識別する識別情報である。
【００５７】
制御部１４は、島端計数機１００全体を制御する制御部であり、レート換算部１４ａと、表示処理部１４ｂと、乗り入れ指示部１４ｃとを備えている。
【００５８】
レート換算部１４ａは、計数部１１から計数値を受け取った場合に、受け取った計数値から、他の貸出レートへの乗り入れを行った場合の遊技媒体数である乗り入れ値を算出する処理部である。具体的には、レート換算部１４ａは、計数部１１から受け取った計数値に対して自装置の所属レートから他の所属レートへのレート換算を行う。また、レート換算部１４ａは、算出した乗り入れ値を表示処理部１４ｂへ渡す処理も併せて行う。
【００５９】
表示処理部１４ｂは、各種の情報をタッチパネルに対して表示させる処理部である。具体的には、表示処理部１４ｂは、計数部１１から受け取った計数値およびレート換算部１４ａから受け取った乗り入れ値をタッチパネル１２に対して表示させる。また、表示処理部１４ｂは、計数部１１による計数が完了した場合に、タッチパネル１２に対して乗入ボタンを表示させる処理も行う。
【００６０】
なお、表示処理部１４ｂは、計数値や乗り入れ値といった数字だけでなく、計数値や乗り入れ値の目安となる画像も併せて表示させることとしている。具体的には、表示処理部１４ｂは、計数値および乗り入れ値に相当する玉箱の画像をそれぞれ表示させる。かかる点については、図４を用いて後述する。
【００６１】
乗り入れ指示部１４ｃは、乗入ボタンが押下された旨の信号をタッチパネル１２から受け取った場合に、管理装置６００に対して乗り入れ指示を送信する処理部である。ここで、乗り入れ指示には、リーダライタ部１３から受け取った会員ＩＤと、乗入ボタンが押下された旨の信号に含まれる乗り入れ先の貸出レートおよび乗り入れ後の遊技媒体数とが含まれるものとする。
【００６２】
次に、島端計数機１００の動作例について図４を用いて説明する。図４は、島端計数機１００の動作例を示す図である。なお、同図の（Ａ）には計数中の動作例を、同図の（Ｂ）には計数後の動作例を、同図の（Ｃ）には乗入ボタンが押下された場合の動作例をそれぞれ示している。また、ここでは、１円コーナーに設置された島端計数機１００に対して遊技媒体が投入された場合について説明する。
【００６３】
同図の（Ａ）に示したように、島端計数機１００に対して遊技媒体が投入されると、島端計数機１００では、計数部１１が、投入された遊技媒体の計数を行う（同図の（Ａ−１）参照）。すると、レート換算部１４ａが、計数値を１円レートから４円レートへ換算した値を乗り入れ値として算出し、表示処理部１４ｂが、計数値および乗り入れ値をタッチパネル１２に対して表示させる（同図の（Ａ−２）参照）。
【００６４】
たとえば、同図の（Ａ）では、計数中の値「２７３２玉」が、かかる計数値で４円レートへの乗り入れを行った場合の乗り入れ値「６８３玉（２７３２玉×（１円／４円））」とともに表示されている。このように、計数中においても、計数値とともに乗り入れ値を表示させることによって、乗り入れ値が正常に計算されているという安心感を遊技客に対して与えることができる。
【００６５】
また、表示処理部１４ｂは、計数値および乗り入れ値の目安となる玉箱画像１２ａを計数値および乗り入れ値と併せて表示させる。ここでは、２０００玉で１箱となるように設定されており、計数値「２７３２玉」の目安となる「１箱半」の玉箱画像と、乗り入れ値「６８３玉」の目安となる「半箱」の玉箱画像とが表示されている。
【００６６】
このように、表示処理部１４ｂが、計数部１１によって計数された計数値の目安となる玉箱画像およびレート換算部１４ａによって算出された乗り入れ値の目安となる玉箱画像をタッチパネル１２に対してさらに表示させることとした。したがって、乗り入れ前の遊技媒体数が乗り入れによってどのくらいの数量になるかを遊技客に対してより直感的に把握させることができる。
【００６７】
つづいて、同図の（Ｂ）に示したように、遊技客が獲得した遊技媒体の計数が全て完了すると、表示処理部１４ｂは、乗り入れボタン１２ｂをタッチパネル１２へ表示させる。そして、遊技客によって乗り入れボタン１２ｂが押下されるとともに（同図の（Ｂ−１）参照）、会員カードから会員ＩＤが読み取られると（同図の（Ｂ−２）参照）、乗り入れ指示部１４ｃは、管理装置６００に対して乗り入れ指示を送信する。なお、ここでは、会員カードＩＤ「００１」が読み取られたものとする。
【００６８】
また、同図の（Ｃ）に示したように、乗り入れ指示部１４ｃが管理装置６００に対して乗り入れ指示を送信すると（同図の（Ｃ−１）参照）、管理装置６００は、かかる乗り入れ指示に従って乗り入れ処理を実行する。具体的には、管理装置６００は、乗り入れ指示を受信すると、まず、乗り入れ指示から会員ＩＤ「００１」、乗り入れ先の貸出レート「４円レート」および乗り入れ後の遊技媒体数「１３０９玉」を取り出す。
【００６９】
そして、管理装置６００は、会員ＩＤ「００１」と関連付けられた貯玉データを貯玉ＤＢ６１０から特定し、特定した貯玉データのうち、乗り入れ先の貸出レート「４円レート」の貯玉数に対して乗り入れ後の遊技媒体数「１３０９」を加算する（同図の（Ｃ−２）参照）。これにより、遊技客が１円コーナーで獲得した遊技媒体「５２３６玉」の４円レートへの乗り入れが完了する。
【００７０】
このように、乗り入れ指示部１４ｃが、乗り入れボタンが押下された旨の通知をタッチパネル１２から受けた場合に、該当する貸出レートに対して乗り入れ値を加算するように管理装置６００へ指示することとした。すなわち、乗り入れを行った場合の遊技媒体数を確認したその場で即座に乗り入れを行うことができるようにしたため、乗り入れの利便性をさらに向上させることができる。
【００７１】
ところで、これまでは、レート換算部１４ａが、単にレート換算だけを行う場合について説明したが、遊技店が再プレイ手数料を徴収する運用を行っている場合には、再プレイ手数料を加味した乗り入れ値を算出してもよい。
【００７２】
また、遊技店には、低レートコーナーで遊技する遊技客を高レートコーナーへ誘導することで遊技台の稼働率を高めたいというニーズがある。そこで、島端計数機１００で獲得玉計数時に乗り入れを行った場合に再プレイ手数料を軽減することとしてもよい。
【００７３】
以下では、これらの点について図５を用いて説明する。図５は、島端計数機１００の他の動作例を示す図である。なお、同図の（Ａ）には、レート換算部１４ａおよび表示処理部１４ｂの動作例を、同図の（Ｂ）には、乗り入れ指示部１４ｃの動作例をそれぞれ示している。
【００７４】
同図の（Ａ）に示したように、レート換算部１４ａは、まず、計数部１１によって計数された計数値を乗り入れ元の貸出レートから乗り入れ先の貸出レートへレート換算する（同図の（Ａ−１）参照）。ここでは、１円コーナーで獲得した遊技媒体「５２３６玉」を４円レートへレート換算して「１３０９玉」が得られる。
【００７５】
さらに、レート換算部１４ａは、レート換算後の遊技媒体数から再プレイ手数料を減算する（同図の（Ａ−２）参照）。たとえば、再プレイ手数料が「１０％」である場合には、レート換算部１４ａは、レート換算後の遊技媒体数「１３０９玉」から再プレイ手数料１０％に相当する「１３０玉」を減算し、減算結果である「１１７９玉」を乗り入れ値とする。
【００７６】
そして、表示処理部１４ｂは、再プレイ手数料を加味した乗り入れ値を計数値とともにタッチパネル１２へ表示させる（同図の（Ａ−３）参照）。
【００７７】
このように、レート換算部１４ａが、計数値を乗り入れ先の貸出レートに換算するとともに、換算後の遊技媒体数から再プレイ手数料に相当する遊技媒体数を差し引くこととしたため、再プレイ手数料を徴収する運用が行われる場合であっても、乗り入れ後の遊技媒体数を正確に把握することができる。
【００７８】
また、表示処理部１４ｂは、計数部１１による計数が完了すると、乗り入れボタン１２ｂとともに、乗り入れを勧めるメッセージをタッチパネル１２に対して表示させる（同図の（同図の（Ａ−４）参照）。たとえば、同図の（Ａ）に示した場合には、その場で乗り入れを行うと再プレイ手数料が１０％から５％へ軽減される旨のメッセージが表示されている。
【００７９】
そして、遊技客によって乗り入れボタン１２ｂが押下されると、同図の（Ｂ）に示したように、乗り入れ指示部１４ｃが、管理装置６００に対して乗り入れ指示を送信する。このとき、乗り入れ指示部１４ｃは、レート換算部１４ａによって算出された乗り入れ値に対して再プレイ手数料の軽減量に相当する遊技媒体数を上乗せした数を含んだ乗り入れ指示を送信する（同図の（Ｂ−１）参照）。
【００８０】
なお、ここでは、再プレイ手数料１０％に相当する「１３０玉」から５％に相当する「６５玉」を差し引いた「６５玉」を乗り入れ値「１１７９玉」に対して上乗せした「１２４４玉」を含んだ乗り入れ指示が送信されることとなる。この結果、貯玉ＤＢ６１０の該当する貯玉数には、レート換算部１４ａによって算出された乗り入れ値「１１７９玉」ではなく、「６５玉」が上乗せされた「１２４４玉」が加算されることとなる（同図の（Ｂ−２）参照）。
【００８１】
なお、ここでは、乗り入れ値の５％分を上乗せする場合について説明したが、これに限ったものではなく、あらかじめ設定された固定値（たとえば、「５０玉」）を加算することとしてもよい。
【００８２】
このように、乗り入れ指示部１４ｃが、レート換算部１４ａによって算出された乗り入れ値に対して所定の遊技媒体数を上乗したうえで、上乗せ後の遊技媒体数を該当する貸出レートの貯玉数へ加算するように管理装置６００に対して指示することとした。したがって、他の貸出レートへの乗り入れが促進され、これに伴って遊技客が再プレイを行う機会が増加する結果、遊技台の稼働率を高めることができる。
【００８３】
次に、本実施例に係る島端計数機１００の具体的動作について図６を用いて説明する。図６は、本実施例に係る島端計数機１００が実行する処理手順を示すフローチャートである。
【００８４】
同図に示すように、島端計数機１００では、計数部１１が遊技媒体の計数を行うと（ステップＳ１０１）、レート換算部１４ａが、計数値を他の貸出レートへ換算するとともに（ステップＳ１０２）、換算後の計数値から再プレイ手数料を減算して乗り入れ値とする（ステップＳ１０３）。
【００８５】
つづいて、表示処理部１４ｂは、ステップＳ１０１において計数された計数値およびステップＳ１０３において算出された乗り入れ値をタッチパネル１２へ表示させる（ステップＳ１０４）。また、島端計数機１００では、計数部１１による計数が完了したか否かを判定し（ステップＳ１０５）、完了していない場合には（ステップＳ１０５、Ｎｏ）計数が完了するまでステップＳ１０１〜Ｓ１０４の処理を繰り返す。
【００８６】
つづいて、計数部１１による計数が完了すると（ステップＳ１０５、Ｙｅｓ）、表示処理部１４ｂは、乗り入れボタン１２ｂをタッチパネル１２に対して表示させる（ステップＳ１０６）。また、島端計数機１００では、乗り入れボタン１２ｂが押下されたか否かを判定し（ステップＳ１０７）、乗り入れボタンが押下されなかった場合には（ステップＳ１０７、Ｎｏ）、処理を終える。
【００８７】
一方、乗り入れボタン１２ｂが押下された場合には（ステップＳ１０７、Ｙｅｓ）、乗り入れ指示部１４ｃが、乗り入れ値に所定の遊技媒体数を上乗せしたうえで（ステップＳ１０８）、乗り入れ指示を管理装置６００に対して送信し（ステップＳ１０９）、処理を終える。
【００８８】
上述してきたように、本実施例では、計数部が、遊技客が獲得した遊技媒体数を計数し、レート換算部が、計数部によって計数された計数値で他の貸出レートへの乗り入れを行った場合の乗り入れ値を算出し、表示処理部が、計数部によって遊技媒体数が計数されるごとに、計数値および乗り入れ値をタッチパネルに対して表示させることとした。したがって、乗り入れを行う場合の利便性を向上させることができる。
【００８９】
ところで、上述してきた実施例では、遊技情報表示装置の一例として島端計数機１００を用いて説明してきたが、本発明に係る遊技情報表示装置は、島端計数機１００以外の機器に対しても適用することができる。そこで、以下では、各台対応装置３００に対して本発明に係る遊技情報表示装置を適用した場合について図７を用いて説明する。
【００９０】
図７は、本発明に係る遊技情報表示手法を各台対応装置に対して適用した場合の適用例を示す図である。なお、同図には、計数機能を兼ね備えた各台対応装置３００を示している。また、同図に示した各台対応装置３００は、図３に示した島端計数機１００の制御部１４と同様の処理部を備えているものとする。
【００９１】
同図に示したように、各台対応装置３００は、ディスプレイなどの表示部およびテンキー、各種のボタンといった操作部を含んだ操作・表示部３１０と、遊技客が獲得した遊技媒体を計数する計数部３２０と、獲得玉を受け入れる玉受入部３３０を含んで構成される。ここで、遊技台４００の下皿から落下した遊技媒体は、玉受入部３３０を経て計数部３２０へと導かれることになる。また、玉受入部３３０には、計数部１１によって計数された計数値を表示する持玉表示部３３０ａ等が設けられている。
【００９２】
かかる各台対応装置３００では、計数部３２０によって計数された計数値が持玉表示部３３０ａに表示されるとともに、他の貸出レート（たとえば、４円レート）へ乗り入れた場合の乗り入れ値が操作・表示部３１０に表示される。このように、本発明に係る遊技情報表示装置を各台対応装置３００に適用した場合であっても、計数値および乗り入れ値をリアルタイムに表示させることができる。
【００９３】
なお、各台対応装置３００の操作・表示部３１０が、７セグメントディスプレイ３１０ａを備えたタイプのものである場合には、乗り入れ後の貸出レートおよび乗り入れ値を同図の（１）〜（３）に示したように表示させればよい。なお、同図では、乗り入れ後の貸出レートおよび乗り入れ値が、（１）→（２）→（３）の順にスクロールして表示される場合について示している。
【００９４】
また、以下に、本発明に係る遊技情報表示手法の運用例について図８を用いて説明する。図８は、本発明に係る遊技情報表示手法の運用例を示す図である。なお、同図の（Ａ）には、各台対応装置３００に計数機能が設けられていない場合の運用例を、同図の（Ｂ）には、各台対応装置３００に計数機能が設けられている場合の運用例をそれぞれ示している。また、ここでは、遊技客が、１円コーナーで獲得した遊技媒体を使って４円レートへの乗り入れを行う場合について示している。
【００９５】
同図の（Ａ）に示したように、遊技客が、１円コーナーに設置された遊技台４００で５２３６玉獲得したとすると（同図の（Ａ−１）参照）、かかる遊技客は、獲得した遊技媒体を持って島端計数機１００へ赴き、この遊技媒体の計数を行う（同図の（Ａ−２）参照）。このとき、島端計数機１００には、計数値とともに４円レートへの乗り入れ値が表示されるため、遊技客は、乗り入れを行うか否かの判断を容易に行うことができる。
【００９６】
つづいて、遊技客は、島端計数機１００のタッチパネル１２に表示された乗り入れボタンを押下して４円レートへの乗り入れを確定させたのち（同図の（Ａ−３）参照）、会員カードだけを持って４円コーナーへ移動し、１円レートから乗り入れた１１７９玉を用いて再プレイを行う。このように、乗り入れ値の確認を行ったその場で即座に乗り入れを行うことができるため、乗り入れの利便性をさらに向上させることができる。
【００９７】
また、同図の（Ｂ）に示したように、各台対応装置３００に計数機能が設けられている場合には、各台対応装置３００に計数値および乗り入れ値が表示され、乗り入れを行うか否かの判断や乗り入れ指示を島端計数機１００へ赴くことなくその場で行うことができる。
【００９８】
ここで、遊技客は、各台対応装置３００で４円レートへの乗り入れを確定させた場合には（同図の（Ｂ−１ａ）、そのまま４円コーナーへ移動し、１円レートから乗り入れた１１７９玉を用いて再プレイを行う（同図の（Ｂ−２ａ）参照）。
【００９９】
一方、各台対応装置３００では４円レートへの乗り入れを行わなかったものの（同図の（Ｂ−１ｂ）、その後、乗り入れを行おうと思い直した場合、遊技客は、４円コーナーに設置された島端再プレイ機２００へ赴き乗り入れ操作を行う。このとき、島端再プレイ機２００のディスプレイ２１０には、遊技客が遊技店へ預け入れた貯玉数（ここでは、「５２３６玉」）とともに、かかる貯玉数で４円レートへの乗り入れを行った場合の４円レートの貯玉数（ここでは、「１１７９玉」）が表示される。なお、４円レートに貯玉残高がある場合には、１円レートからの乗り入れ値および貯玉残高の合算値が表示されることとなる。
【０１００】
また、遊技客が、４円レートへの乗り入れを確定させると（同図の（Ｂ−２ｂ）、島端再プレイ機２００は、乗り入れ後の４円レートの貯玉数（ここでは、「１１７９玉」）を払い出す。そして、遊技客は、島端再プレイ機２００から払い出された１１７９玉を用いて再プレイを行う（同図の（Ｂ−３ｂ）参照）。このように、本発明に係る遊技情報表示装置は、島端再プレイ機２００に対しても適用可能である。
【０１０１】
なお、かかる場合、島端再プレイ機２００は、図３に示した島端計数機１００の制御部１４と同様の処理部を備えるものとする。また、島端再プレイ機２００は、島端計数機１００と同様、乗り入れ前の貯玉数の目安となる玉箱画像および乗り入れ後の貯玉数の目安となる玉箱画像を併せて表示させてもよい。
【０１０２】
なお、上述してきた実施例では、１台の各台対応装置３００が、玉貸機能と各台計数機能とを兼ね備える場合について説明したが、玉貸機能を有する第１の台間装置（ＣＲユニット）と、各台計数機能を有する第２の台間装置（計数サンド）とを併設するシステム（ダブルサンド方式）を採用してもよい。
【０１０３】
また、上述してきた実施例では、図７に示したように、計数部３２０が各台対応装置３００の下部に設けられている場合について示したが、これに限ったものではなく、計数部３２０は、遊技台４００前方の膳板上や遊技台上方に配置してもよい。
【０１０４】
また、上述してきた実施例では、再プレイ手数料を徴収する場合について説明してきたが、これに限ったものではなく、たとえば、換算手数料を徴収することとしてもよい。すなわち、持玉の計数時に、換算後の遊技媒体数から「換算手数料」を差し引いた遊技媒体数を表示するとともに、乗り入れを行った場合には、かかる換算手数料を減算後の遊技媒体を貯玉することとしてもよい。
【０１０５】
また、上述してきたい実施例では、遊技店の会員が会員カードを所持する場合について説明したが、これに限ったものではなく、ＩＤｍ等の識別情報があらかじめ登録された携帯端末装置を会員カード代わりに用いてもよい。かかる場合、リーダライタ部１３が、携帯端末装置からＩＤｍ等の識別情報を読み取るようにすればよい。
【０１０６】
また、上述してきた実施例では、貸出レートが２種類である場合について説明したが、貸出レートが３種類以上である場合には、遊技媒体の計数後に、乗り入れ先の貸出レートを遊技客に対して選択させればよい。
【０１０７】
たとえば、４円レート、２円レートおよび１円レートの３種類の貸出レートが存在する遊技店において、１円コーナーで獲得した遊技媒体を計数後に乗り入れ操作を行う場合、「４円レート」に乗り入れるのか、「２円レート」に乗り入れるのかを選択する選択ボタンをタッチパネル１２に表示して、どちらの貸出レートへ乗り入れるかを遊技客に選択させればよい。
【産業上の利用可能性】
【０１０８】
以上のように、本発明に係る遊技情報表示装置、遊技媒体計数機、遊技情報表示システムおよび遊技媒体計数システムは、遊技客が保有する貯玉や持玉などの遊技媒体を他の貸出レートへ振り替える場合の利便性を向上させたい場合に有用であり、特に、再プレイ手数料や換算手数料の徴収を行う遊技店への適用に適している。
【符号の説明】
【０１０９】
１００    島端計数機
１１    計数部
１２    タッチパネル
１２ａ  玉箱画像
１２ｂ  乗り入れボタン
１３    リーダライタ部
１４    制御部
１４ａ  レート換算部
１４ｂ  表示処理部
１４ｃ  乗り入れ指示部
２００    島端再プレイ機
２１０    ディスプレイ
３００    各台対応装置
３１０    操作・表示部
３１０ａ  ７セグメントディスプレイ
３２０    計数部
３３０    玉受入部
３３０ａ  持玉表示部
４００    遊技台
５００    島コントローラ
６００    管理装置
６１０    貯玉ＤＢ
６２０    持玉ＤＢ
【図１】
0005624379.tif 000002
【図２】
0005624379.tif 000003
【図３】
0005624379.tif 000004
【図４】
0005624379.tif 000005
【図５】
0005624379.tif 000006
【図６】
0005624379.tif 000007
【図７】
0005624379.tif 000008
【図８】
0005624379.tif 000009